(57)【要約】【課題】効率的に出庫作業を行うことが可能な在庫管理システムを提供する。【解決手段】搬送車によって搬送される商品の在庫管理を行う在庫管理システム１であって、商品の在庫データを格納するデータ格納部１１と、商品の出庫要求に応じて出庫指示データを生成するデータ生成部１２と、出庫指示データに含まれる出庫指示の一覧画面と明細画面とを表示する表示部２１と、出庫した商品に関する商品情報を入力する入力部２２と、商品情報に基づいて在庫データを更新するデータ更新部１３とを備える。データ生成部１２は、出庫要求に応じて出庫対象の商品の予定出庫数に関する数量データを生成し、数量データをデータ格納部１１に格納する一方、在庫データに対して引当を行わないことを特徴とする。【選択図】図１
2019189369.tif 000002
【特許請求の範囲】
【請求項１】
搬送車によって搬送される商品の在庫管理を行う在庫管理システムであって、
前記商品の在庫データを格納するデータ格納部と、
前記商品の出庫要求に応じて出庫指示データを生成するデータ生成部と、
前記搬送車に設けられ、前記出庫指示データに含まれる出庫指示の一覧画面と、前記一覧画面において選択された前記出庫指示の明細画面と、を表示する表示部と、
前記搬送車に設けられ、出庫した前記商品に関する商品情報を入力する入力部と、
前記商品情報に基づいて前記在庫データを更新するデータ更新部と、
を備え、
前記データ生成部は、前記出庫要求に応じて出庫対象の前記商品の予定出庫数に関する数量データを生成し、前記数量データを前記データ格納部に格納する一方、前記在庫データに対して引当を行わない
ことを特徴とする在庫管理システム。
【請求項２】
前記データ生成部は、
前記出庫要求に応じて前記出庫指示データを生成するときに、前記出庫対象の前記商品のロケーションを特定し、
前記一覧画面において前記出庫指示が選択されたときに、前記ロケーションに前記出庫対象の前記商品がない場合は、前記商品の別のロケーションを特定する
ことを特徴とする請求項１に記載の在庫管理システム。
【請求項３】
前記表示部は、前記一覧画面において前記ロケーションを表示する
ことを特徴とする請求項２に記載の在庫管理システム。
【請求項４】
前記データ生成部は、
前記出庫要求に応じて前記出庫指示データを生成するときに、前記出庫対象の前記商品のロケーションを特定することなく、前記一覧画面において前記出庫指示が選択されたときに、前記出庫指示に対応する前記ロケーションを特定する
ことを特徴とする請求項１に記載の在庫管理システム。
【請求項５】
前記表示部は、前記一覧画面において前記ロケーションを表示することなく、前記明細画面において前記ロケーションを表示する
ことを特徴とする請求項４に記載の在庫管理システム。
【請求項６】
商品の在庫データが格納された管理装置と搬送車に設けられた作業者用端末とを用いた在庫管理方法であって、
前記管理装置が、入力された前記商品の出庫要求を受け付ける出庫要求入力工程と、
前記管理装置が、前記在庫データに対して引当を行うことなく、前記出庫要求に応じて出庫対象の前記商品の予定出庫数に関する数量データを生成するとともに、前記出庫対象の前記商品の出庫指示に関する第１出庫指示データを生成して当該第１出庫指示データを前記作業者用端末に送信するデータ生成工程と、
前記作業者用端末が、前記第１出庫指示データに基づいて前記出庫指示の一覧画面を表示し、前記一覧画面において選択された前記出庫指示に関するデータを前記管理装置に送信し、前記管理装置が、前記出庫指示に対応する前記商品のロケーションを特定した第２出庫指示データを生成し、当該第２出庫指示データを前記作業者用端末に送信し、前記作業者用端末が、前記第２出庫指示データに基づいて前記出庫指示の明細画面を表示する出庫作業工程と、
前記作業者用端末が、入力された前記出庫対象の前記商品の商品情報を前記管理装置に送信し、前記管理装置が、前記商品情報に基づいて前記在庫データおよび前記数量データを更新する出庫作業完了工程と、を含む
ことを特徴とする在庫管理方法。
【請求項７】
搬送車に設けられた作業者用端末と通信可能に構成され、前記搬送車によって搬送される商品の在庫管理を行う管理装置であって、
前記商品の在庫データを格納するデータ格納部と、
前記商品の出庫要求に応じて出庫指示データを生成し、前記出庫指示データを前記作業者用端末に送信するデータ生成部と、
前記搬送車によって出庫された前記商品に関する商品情報に基づいて前記在庫データを更新するデータ更新部と、
を備え、
前記データ生成部は、前記出庫要求に応じて出庫対象の前記商品の予定出庫数に関する数量データを生成し、前記数量データを前記データ格納部に格納する一方、前記在庫データに対して引当を行わない
ことを特徴とする管理装置。
【発明の詳細な説明】
【技術分野】
【０００１】
本発明は、在庫管理システム、在庫管理方法および管理装置に関する。
【背景技術】
【０００２】
在庫管理システムは、商品の在庫データを管理する管理装置と、商品の搬送を行う搬送車（例えば、フォークリフト）に備えられた作業者用端末と、を含む（例えば、特許文献１参照）。このような在庫管理システムでは、出庫作業を行う場合、管理装置は在庫データに対して引当を行う。
【０００３】
引当とは、在庫データの明細行ごとに予約を立てることを意味する。図５に示すように、在庫データの明細行は、複数の管理項目（図５では、商品コード、商品名、ロット、賞味期限、入庫日、ロケーション、数量、引当数）を含む。管理装置は、例えば、商品コード「Ａ００１」、出庫数「５０」という出庫要求を受け付けると、明細行の１行目を選択して、引当数「５０」を計上する。管理装置が引当を行う際に明細行の何行目を選択するかは、予め設定された優先順位（例えば、賞味期限が近い順）に従う。
【０００４】
管理装置は、引当を行った商品の管理項目に関するデータを出庫指示データとして作業者用端末に送信する。作業者は、作業者用端末を確認して、引当を行った商品と同一の商品（全ての管理項目が一致する商品）を出庫することになる。
【先行技術文献】
【特許文献】
【０００５】
【特許文献１】特開２００４−９１１４８号公報
【発明の概要】
【発明が解決しようとする課題】
【０００６】
上記の通り、従来の在庫管理システムでは、管理装置が在庫データに対して引当を行うので、突発的な事態が発生した場合に、効率的に出庫作業を行うことができないという問題がある。例えば、引当を行った商品が破損等により出庫不可能な状態であることが、出庫作業時にはじめて分かった場合、作業者は、管理装置で引当を一旦解除した後、他の商品（明細行）に対して再度引当を行わないと、出庫作業を行うことができない。
【０００７】
本発明は上記事情に鑑みてなされたものであって、その課題とするところは、効率的に出庫作業を行うことが可能な在庫管理システム、在庫管理方法および管理装置を提供することにある。
【課題を解決するための手段】
【０００８】
上記課題を解決するために、本発明に係る在庫管理システムは、
搬送車によって搬送される商品の在庫管理を行う在庫管理システムであって、
前記商品の在庫データを格納するデータ格納部と、
前記商品の出庫要求に応じて出庫指示データを生成するデータ生成部と、
前記搬送車に設けられ、前記出庫指示データに含まれる出庫指示の一覧画面と、前記一覧画面において選択された前記出庫指示の明細画面と、を表示する表示部と、
前記搬送車に設けられ、出庫した前記商品に関する商品情報を入力する入力部と、
前記商品情報に基づいて前記在庫データを更新するデータ更新部と、
を備え、
前記データ生成部は、前記出庫要求に応じて出庫対象の前記商品の予定出庫数に関する数量データを生成し、前記数量データを前記データ格納部に格納する一方、前記在庫データに対して引当を行わないことを特徴とする。
【０００９】
前記データ生成部は、
前記出庫要求に応じて前記出庫指示データを生成するときに、前記出庫対象の前記商品のロケーションを特定し、
前記一覧画面において前記出庫指示が選択されたときに、前記ロケーションに前記出庫対象の前記商品がない場合は、前記商品の別のロケーションを特定するように構成できる。
【００１０】
前記表示部は、前記一覧画面において前記ロケーションを表示してもよい。
【００１１】
前記データ生成部は、
前記出庫要求に応じて前記出庫指示データを生成するときに、前記出庫対象の前記商品のロケーションを特定することなく、前記一覧画面において前記出庫指示が選択されたときに、前記出庫指示に対応する前記ロケーションを特定するように構成できる。
【００１２】
前記表示部は、前記一覧画面において前記ロケーションを表示することなく、前記明細画面において前記ロケーションを表示してもよい。
【００１３】
また、上記課題を解決するために、本発明に係る在庫管理方法は、
商品の在庫データが格納された管理装置と搬送車に設けられた作業者用端末とを用いた在庫管理方法であって、
前記管理装置が、入力された前記商品の出庫要求を受け付ける出庫要求入力工程と、
前記管理装置が、前記在庫データに対して引当を行うことなく、前記出庫要求に応じて出庫対象の前記商品の予定出庫数に関する数量データを生成するとともに、前記出庫対象の前記商品の出庫指示に関する第１出庫指示データを生成して当該第１出庫指示データを前記作業者用端末に送信するデータ生成工程と、
前記作業者用端末が、前記第１出庫指示データに基づいて前記出庫指示の一覧画面を表示し、前記一覧画面において選択された前記出庫指示に関するデータを前記管理装置に送信し、前記管理装置が、前記出庫指示に対応する前記商品のロケーションを特定した第２出庫指示データを生成し、当該第２出庫指示データを前記作業者用端末に送信し、前記作業者用端末が、前記第２出庫指示データに基づいて前記出庫指示の明細画面を表示する出庫作業工程と、
前記作業者用端末が、入力された前記出庫対象の前記商品の商品情報を前記管理装置に送信し、前記管理装置が、前記商品情報に基づいて前記在庫データおよび前記数量データを更新する出庫作業完了工程と、を含むことを特徴とする。
【００１４】
また、上記課題を解決するために、本発明に係る管理装置は、
搬送車に設けられた作業者用端末と通信可能に構成され、前記搬送車によって搬送される商品の在庫管理を行う管理装置であって、
前記商品の在庫データを格納するデータ格納部と、
前記商品の出庫要求に応じて出庫指示データを生成し、前記出庫指示データを前記作業者用端末に送信するデータ生成部と、
前記搬送車によって出庫された前記商品に関する商品情報に基づいて前記在庫データを更新するデータ更新部と、
を備え、
前記データ生成部は、前記出庫要求に応じて出庫対象の前記商品の予定出庫数に関する数量データを生成し、前記数量データを前記データ格納部に格納する一方、前記在庫データに対して引当を行わないことを特徴とする。
【発明の効果】
【００１５】
本発明によれば、効率的に出庫作業を行うことが可能な在庫管理システム、在庫管理方法および管理装置を提供することができる。
【図面の簡単な説明】
【００１６】
【図１】本発明の一実施形態に係る在庫管理システムのブロック図である。
【図２】（Ａ）は本発明の在庫管理システムにおける在庫データの一例を示す図である。（Ｂ）は本発明の在庫管理システムにおける数量データの一例を示す図である。
【図３】（Ａ）は本発明の作業者用端末における一覧画面の一例を示す図である。（Ｂ）は本発明の作業者用端末における明細画面の一例を示す図である。
【図４】本発明の在庫管理システムによる在庫管理方法の出庫作業フローを示す図である。
【図５】従来の在庫管理システムにおける在庫データの一例を示す図である。
【発明を実施するための形態】
【００１７】
以下、添付図面を参照して、本発明に係る在庫管理システム、在庫管理方法および管理装置の実施形態について説明する。
【００１８】
図１に、本発明の一実施形態に係る在庫管理システム１を示す。同図に示すように、在庫管理システム１は、本発明の一実施形態に係る管理装置１０と、商品の搬送を行う複数台の搬送車（本実施形態では、フォークリフト）に各１つ備えられた作業者用端末２０と、を含む。管理装置１０と作業者用端末２０とは、ネットワーク３１および通信部３２（例えば、無線アンテナ）を介して、相互に通信可能に構成されている。
【００１９】
管理装置１０は、例えば、ＰＣサーバ等の少なくとも１台のコンピュータで構成され、データ格納部１１と、データ生成部１２と、データ更新部１３と、を備える。管理装置１０は、キーボード等で構成されるデータ入力部と、ディスプレイ等で構成されるデータ表示部と、をさらに備えてもよい。管理装置１０は、商品の保管場所（例えば、倉庫）に設置されていてもよいし、商品の保管場所とは別の場所（例えば、事務所）に設置されていてもよい。
【００２０】
作業者用端末２０は、表示部２１と、入力部２２とを備える。表示部２１は、例えば、液晶タッチパネル等で構成される。入力部２２は、例えば、キーボードおよび／またはバーコードスキャナ等で構成される。搬送車がフォークリフトの場合、作業者用端末２０は、フォークリフトの運転席に設けられることが好ましい。
【００２１】
データ格納部１１は、図２（Ａ）に示すような商品の在庫データと、図２（Ｂ）に示すような出庫対象商品の予定出庫数に関する数量データと、を含む各種データを格納する。
【００２２】
在庫データは、商品の複数の管理項目（図２（Ａ）では、商品コード、商品名、ロット、賞味期限、入庫日、ロケーション、数量）からなる明細行を含む。在庫データの明細行に含まれる管理項目は、適宜構成を変更できる。なお、本実施形態では、商品が置かれているラックの列にロケーション（商品の収納場所に関する識別番号）を割り当てているが、ロケーションの割り当ては、適宜変更できる。
【００２３】
数量データは、商品名と、その商品の予定出庫数とを含む。数量データは、商品名の代わりに、または商品名に加えて、その商品を特定できる管理項目を含んでもよい。
【００２４】
データ生成部１２は、上位のコンピュータまたはデータ入力部から入力された出庫要求を受け付ける。出庫要求は、商品を特定できる管理項目（例えば、商品コード）と、当該商品の数量（出庫数）と、に関する情報を含む。
【００２５】
データ生成部１２は、出庫要求を受け付けると、数量データを生成してデータ格納部１１に格納する。例えば、データ生成部１２は、商品コード「Ａ００１」、出庫数「２０」という第１の出庫要求と、商品コード「Ａ００２」、出庫数「２０」という第２の出庫要求と、商品コード「Ａ００２」、出庫数「１０」という第３の出庫要求と、を受け付けた場合、図２（Ｂ）に示す数量データを生成する。
【００２６】
データ生成部１２は、数量データの予定出庫数が在庫データの数量（在庫数）を超えない範囲で、出庫要求を受け付ける。このように、データ生成部１２が数量データと在庫データとを比較することで、予定出庫数が在庫数を超えたことによる商品の欠品を、確実に防止することができる。言い換えれば、データ生成部１２は、商品の欠品を防止するために数量データを生成する。
【００２７】
データ生成部１２は、上記のとおり数量データを生成する一方で、在庫データに対して引当を行わない。すなわち、在庫管理システム１では、在庫データの明細行ごとに予約を立てることをしない。当然ながら、在庫管理システム１では、明細行ごとに引当数を計上することもないし、在庫データおよび数量データとは別に引当データ（例えば、ロケーションを特定した引当テーブル）を生成したり更新したりすることもない。このように、在庫データに対して引当を行わないことで、出庫対象の商品を、現場判断で（フォークリフトに乗った作業者の判断で）容易に変更することができる。
【００２８】
データ生成部１２は、数量データを生成するとともに、出庫要求に応じた出庫指示データを生成する。出庫指示データは、作業者用端末２０の表示部２１に表示される出庫指示の一覧画面および明細画面に関するものである。
【００２９】
データ生成部１２は、出庫要求の受け付け時に一覧画面に関する出庫指示データを生成する。例えば、第１の出庫要求の受け付け時に、データ生成部１２は、第１の出庫要求に対応する商品のロケーションを特定し、出庫指示データを生成して作業者用端末２０に送信する。同様に、第２および第３の出庫要求の受け付け時に、データ生成部１２は、第２および第３の出庫要求に対応する商品のロケーションを特定し、出庫指示データを生成して作業者用端末２０に送信する。その結果、作業者用端末２０の表示部２１には、図３（Ａ）に示すとおり、第１〜第３の出庫要求に対応する商品のロケーションが特定された出庫指示の一覧画面が表示される。
【００３０】
図３（Ａ）に示す一覧画面において作業者が第１（Ｎｏ．１）の出庫指示を選択した場合、データ生成部１２は、第１の出庫指示に対応する商品のロケーションを再度特定し、第１の出庫指示の明細画面に関する出庫指示データを生成する。出庫指示データは作業者用端末２０に送信され、作業者用端末２０の表示部２１には、図３（Ｂ）に示す明細画面が表示される。
【００３１】
本実施形態では、在庫データに対して引当を行わないので、一覧画面において作業者が出庫指示を選択した時点において、その出庫指示におけるロケーションに出庫対象の商品が存在しない場合がある。この点、データ生成部１２は、上記のとおり一覧画面において作業者が出庫指示を選択したときに当該出庫指示に対応する商品のロケーションを再度特定するので、出庫対象の商品について別のロケーションを特定した出庫指示データを生成することができる。
【００３２】
データ更新部１３は、作業者用端末２０の入力部２２において、出庫した商品に関する商品情報（例えば、商品コード、ロケーション、出庫数、等）が入力されると、当該商品情報に基づいて在庫データおよび数量データを更新する。例えば、データ更新部１３は、在庫データの商品の「数量」および数量データの「予定出庫数」を、商品情報に含まれる出庫数の分だけ減らす処理を行う。
【００３３】
図４に、在庫管理システム１を用いた在庫管理方法を示す。本実施形態に係る在庫管理方法は、出庫要求入力工程（Ｓ１）と、データ生成工程（Ｓ２）と、出庫作業工程（Ｓ３）と、物品チェック工程（Ｓ４）と、出庫作業完了工程（Ｓ５）と、を含む。なお、物品チェック工程（Ｓ４）は省略してもよい。
【００３４】
出庫要求入力工程（Ｓ１）では、データ生成部１２が、上位のコンピュータまたはデータ入力部から入力された出庫要求を受け付ける。本実施形態では、データ生成部１２が、商品コード「Ａ００１」、出庫数「２０」という第１の出庫要求と、商品コード「Ａ００２」、出庫数「２０」という第２の出庫要求と、商品コード「Ａ００２」、出庫数「１０」という第３の出庫要求と、を受け付けたものとする。
【００３５】
データ生成工程（Ｓ２）では、データ生成部１２は、第１〜第３の出庫要求に応じて図２（Ｂ）に示す数量データを生成し、当該数量データをデータ格納部１１に格納する一方、在庫データに対して引当を行わない。すなわち、本実施形態に係る在庫管理方法では、在庫データの明細行ごとに予約を立てることをしない。当然ながら、明細行ごとに引当数を計上することもないし、在庫データおよび数量データとは別に引当データ（例えば、ロケーションを特定した引当テーブル）を生成したり更新したりすることもない。
【００３６】
また、データ生成工程（Ｓ２）では、データ生成部１２は、第１〜第３の出庫要求に対応する各商品の出庫指示に関するデータであって、当該各商品のロケーションを特定した出庫指示データを生成し、当該出庫指示データを作業者用端末２０に送信する。
【００３７】
出庫作業工程（Ｓ３）では、作業者用端末２０は、出庫指示データに基づいて表示部２１に図３（Ａ）に示す一覧画面を表示させる。作業者は、図３（Ａ）に示す一覧画面において出庫指示を選択することができる。例えば、作業者が第１（Ｎｏ．１）の出庫指示を選択した場合、作業者用端末２０は、選択された第１の出庫指示に関するデータをデータ生成部１２に送信する。データ生成部１２は、第１の出庫指示に対応する商品のロケーションを再度特定し、第１の出庫指示の新たな出庫指示データ（明細画面に関する出庫指示データ）を生成し、当該出庫指示データを作業者用端末２０に送信する。作業者用端末２０は、新たな出庫指示データに基づいて表示部２１に図３（Ｂ）に示す明細画面を表示させる。作業者は、明細画面に示されたロケーション「０００１」にフォークリフトを移動させ、出庫作業を行うことができる。
【００３８】
本実施形態に係る在庫管理方法では、在庫データに対して引当を行わないので、作業者は、出庫対象の商品を現場で容易に変更することができる。例えば、第１の出庫指示を選択した作業者は、ロケーション「０００１」にある商品（商品コード「Ａ００１」）を出庫する代わりに、現場判断で別のロケーション（例えば、ロケーション「０００２」）にある商品（商品コード「Ａ００１」）を出庫することができる。
【００３９】
物品チェック工程（Ｓ４）では、商品または商品を搭載しているパレットに商品情報を記録したバーコードが設けられている場合、作業者は、入力部２２に含まれるバーコードスキャナでバーコードを読み込むことができる。この場合、作業者用端末２０は、バーコードに記録されている商品情報と第１の出庫指示に係る商品の商品情報とを比較し、両者が一致しているか異なっているかを表示部２１に表示する。なお、例えば、入力部２２がバーコードスキャナを含んでいない場合や、別のロケーションから出庫対象の商品を出庫する場合は、物品チェック工程（Ｓ４）を省略してもよい。
【００４０】
出庫作業完了工程（Ｓ５）では、作業者が入力部２２から商品情報（例えば、商品コード、ロケーション、出庫数、等）を入力すると、入力部２２は、入力された商品情報を管理装置１０に送信する。管理装置１０では、データ更新部１３が、商品情報に基づいて在庫データおよび数量データを更新し、在庫データの「数量」および数量データの「予定出庫数」を減算する。
【００４１】
結局、本実施形態に係る在庫管理システム１、在庫管理方法および管理装置１０によれば、管理装置１０が、出庫要求の受け付け時に数量データを生成するので、予定出庫数が在庫数を超えたことによる商品の欠品を防止することができるとともに、在庫データに対して引当を行わないので、突発的な事態が発生した場合であっても効率的に出庫作業を行うことができる。
【００４２】
以上、本発明に係る在庫管理システム、在庫管理方法および管理装置の実施形態について説明したが、本発明は上記実施形態に限定されるものではない。
【００４３】
例えば、データ生成部１２は、一覧画面に関する出庫指示データを生成するときに出庫対象の商品のロケーションを特定することなく、一覧画面において出庫指示が選択されたときに当該出庫指示に係る商品のロケーションを特定してもよい。この構成によれば、一覧画面で作業者が出庫指示を選択した時点において、当該出庫指示に係る商品のロケーションに出庫対象の商品が存在しないという事態を防ぐことができる。
【００４４】
上記のように、一覧画面に関する出庫指示データを生成するときに出庫対象の商品のロケーションを特定しない場合、表示部２１は、一覧画面においてロケーションを表示することなく、明細画面においてロケーションを表示することになる。
【符号の説明】
【００４５】
１    在庫管理システム
１０    管理装置
１１    データ格納部
１２    データ生成部
１３    データ更新部
２０    作業者用端末
２１    表示部
２２    入力部
３１    ネットワーク
３２    通信部
【図１】
2019189369.tif 000003
【図２】
2019189369.tif 000004
【図３】
2019189369.tif 000005
【図４】
2019189369.tif 000006
【図５】
2019189369.tif 000007
【手続補正書】
【提出日】平成31年2月6日(2019.2.6)
【手続補正１】
【補正対象書類名】特許請求の範囲
【補正対象項目名】全文
【補正方法】変更
【補正の内容】
【特許請求の範囲】
【請求項１】
搬送車によって搬送される商品の在庫管理を行う在庫管理システムであって、
前記商品の在庫データを格納するデータ格納部と、
前記商品の出庫要求に応じて出庫指示データを生成するデータ生成部と、
前記搬送車に設けられ、前記出庫指示データに含まれる出庫指示の一覧画面と、前記一覧画面において選択された前記出庫指示の明細画面と、を表示する表示部と、
前記搬送車に設けられ、出庫した前記商品に関する商品情報を入力する入力部と、
前記商品情報に基づいて前記在庫データを更新するデータ更新部と、
を備え、
前記データ生成部は、前記出庫要求に応じて出庫対象の前記商品の予定出庫数に関する数量データを生成し、前記数量データを前記データ格納部に格納する一方、前記在庫データに対して引当を行わないことを特徴とし、かつ
前記データ生成部は、
前記出庫要求に応じて前記出庫指示データを生成するときに、前記出庫対象の前記商品のロケーションを特定し、
前記一覧画面において前記出庫指示が選択されたときに、前記ロケーションに前記出庫対象の前記商品がない場合は、前記商品の別のロケーションを特定する
ことを特徴とする在庫管理システム。
【請求項２】
前記表示部は、前記一覧画面において前記ロケーションを表示する
ことを特徴とする請求項１に記載の在庫管理システム。
【請求項３】
搬送車によって搬送される商品の在庫管理を行う在庫管理システムであって、
前記商品の在庫データを格納するデータ格納部と、
前記商品の出庫要求に応じて出庫指示データを生成するデータ生成部と、
前記搬送車に設けられ、前記出庫指示データに含まれる出庫指示の一覧画面と、前記一覧画面において選択された前記出庫指示の明細画面と、を表示する表示部と、
前記搬送車に設けられ、出庫した前記商品に関する商品情報を入力する入力部と、
前記商品情報に基づいて前記在庫データを更新するデータ更新部と、
を備え、
前記データ生成部は、前記出庫要求に応じて出庫対象の前記商品の予定出庫数に関する数量データを生成し、前記数量データを前記データ格納部に格納する一方、前記在庫データに対して引当を行わないことを特徴とし、かつ
前記データ生成部は、
前記出庫要求に応じて前記出庫指示データを生成するときに、前記出庫対象の前記商品のロケーションを特定することなく、前記一覧画面において前記出庫指示が選択されたときに、前記出庫指示に対応する前記ロケーションを特定する
ことを特徴とする在庫管理システム。
【請求項４】
前記表示部は、前記一覧画面において前記ロケーションを表示することなく、前記明細画面において前記ロケーションを表示する
ことを特徴とする請求項３に記載の在庫管理システム。
【手続補正３】
【補正対象書類名】明細書
【補正対象項目名】０００１
【補正方法】変更
【補正の内容】
【０００１】
本発明は、在庫管理システムに関する。
【手続補正４】
【補正対象書類名】明細書
【補正対象項目名】０００７
【補正方法】変更
【補正の内容】
【０００７】
本発明は上記事情に鑑みてなされたものであって、その課題とするところは、効率的に出庫作業を行うことが可能な在庫管理システムを提供することにある。
【手続補正５】
【補正対象書類名】明細書
【補正対象項目名】０００８
【補正方法】変更
【補正の内容】
【０００８】
上記課題を解決するために、本発明に係る在庫管理システムは、
搬送車によって搬送される商品の在庫管理を行う在庫管理システムであって、
前記商品の在庫データを格納するデータ格納部と、
前記商品の出庫要求に応じて出庫指示データを生成するデータ生成部と、
前記搬送車に設けられ、前記出庫指示データに含まれる出庫指示の一覧画面と、前記一覧画面において選択された前記出庫指示の明細画面と、を表示する表示部と、
前記搬送車に設けられ、出庫した前記商品に関する商品情報を入力する入力部と、
前記商品情報に基づいて前記在庫データを更新するデータ更新部と、
を備え、
前記データ生成部は、前記出庫要求に応じて出庫対象の前記商品の予定出庫数に関する数量データを生成し、前記数量データを前記データ格納部に格納する一方、前記在庫データに対して引当を行わないことを特徴とし、かつ
前記データ生成部は、
前記出庫要求に応じて前記出庫指示データを生成するときに、前記出庫対象の前記商品のロケーションを特定し、
前記一覧画面において前記出庫指示が選択されたときに、前記ロケーションに前記出庫対象の前記商品がない場合は、前記商品の別のロケーションを特定することを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１１
【補正方法】変更
【補正の内容】
【００１１】
上記課題を解決するために、本発明に係る別の在庫管理システムは、
搬送車によって搬送される商品の在庫管理を行う在庫管理システムであって、
前記商品の在庫データを格納するデータ格納部と、
前記商品の出庫要求に応じて出庫指示データを生成するデータ生成部と、
前記搬送車に設けられ、前記出庫指示データに含まれる出庫指示の一覧画面と、前記一覧画面において選択された前記出庫指示の明細画面と、を表示する表示部と、
前記搬送車に設けられ、出庫した前記商品に関する商品情報を入力する入力部と、
前記商品情報に基づいて前記在庫データを更新するデータ更新部と、
を備え、
前記データ生成部は、前記出庫要求に応じて出庫対象の前記商品の予定出庫数に関する数量データを生成し、前記数量データを前記データ格納部に格納する一方、前記在庫データに対して引当を行わないことを特徴とし、かつ
前記データ生成部は、
前記出庫要求に応じて前記出庫指示データを生成するときに、前記出庫対象の前記商品のロケーションを特定することなく、前記一覧画面において前記出庫指示が選択されたときに、前記出庫指示に対応する前記ロケーションを特定することを特徴とする。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
本発明によれば、効率的に出庫作業を行うことが可能な在庫管理システムを提供することができる。